(57)【要約】【課題】  棚板にビデオカセットテープ、ＣＤ、ＤＶＤ、ゲームソフト媒体、書籍及び楽譜の物品からなる物品群が収納され、収納領域が設けられる収納棚に用いられる表示装置及びピッキングシステムであって、ビデオカセットテープ、ＣＤやＤＶＤの数量や物品群の種類が増減し、収納領域の水平方向の大きさや数が増減することがあっても、工具等を用いて収納棚を改変することなく、表示装置を収納領域に柔軟に対応させることができ、これにより作業者等の作業負担を軽減することができる表示装置及びピッキングシステムを提供する。【解決手段】  ピッキングシステム１００に用いられる表示装置１０は、長手方向に延びる細長形状を呈する表示部１１を備え、表示部１１は、収納情報を表示するための表示手段１１１と、制御装置２０に応答信号を伝達するための操作手段１１２とが設けられ、表示部１１において表示される表示内容の天地方向が長手方向を向いている。【選択図】  図２
2005212962.tif 000002
【特許請求の範囲】
【請求項１】
所定の水平方向に延びるとともに鉛直方向に配設される１又は２以上の棚板を有し、前記１又は２以上の棚板に、それぞれがビデオカセットテープ、コンパクトディスク、ＤＶＤ、ゲームソフト媒体、書籍及び楽譜のうち少なくとも一つの、１又は同一種類の２以上の物品からなる１種類又は互いに異なる２種類以上の物品群が当該物品群毎に前記水平方向に増減可能な所定の収納区域に区画されて前記水平方向に沿って収納されるとともに、前記物品群毎の収納区域のうち１又は２以上の収納区域について、前記棚板に収納される当該物品の前記棚板から前記鉛直方向に向かう領域が確保され、且つ、当該収納区域の増減に伴って前記水平方向に増減される収納領域が１又は２以上設けられる収納棚に用いられる表示装置であって、制御装置によって制御されることで、前記制御装置にて指示される前記収納領域について、前記制御装置にて指示される前記収納区域に収納される当該物品の数量に関する数量情報を少なくとも含む収納情報を表示するピッキングシステム用表示装置であり、
所定の長手方向に延びる所定の細長形状を呈する表示部を備えており、
前記表示部は、前記収納情報を表示するための表示手段と、前記制御装置に応答信号を伝達するための操作手段とが設けられ、
前記表示部において表示される表示内容の天地方向が前記長手方向を向いていることを特徴とするピッキングシステム用表示装置。
【請求項２】
前記収納情報は、前記制御装置にて指示される前記収納区域の位置に関する位置情報をさらに含む請求項１記載のピッキングシステム用表示装置。
【請求項３】
前記収納棚に設けられる前記収納領域において、前記収納区域の位置を示す符号が付されており、
前記表示手段は、前記位置情報として前記制御装置にて指示される前記収納区域に対応する前記符号が表示される符号表示部と、前記数量情報として当該収納区域に収納される当該物品の数量が表示される数量表示部とを備え、
前記操作手段は、前記制御装置に応答信号を伝達するための操作スイッチであり、
前記表示部において、前記符号表示部、前記数量表示部及び前記操作スイッチのうち、少なくとも二つが前記長手方向に沿って並設されている請求項２記載のピッキングシステム用表示装置。
【請求項４】
前記長手方向が前記水平方向に対して直交又は略直交するように、且つ、前記収納領域から前記水平方向に延びる水平方向領域において、前記棚板に収納される前記物品群の前記水平方向両側物品群のうちいずれか一方の前記水平方向外側に前記表示部を設けるために前記表示部を前記収納棚に前記水平方向に沿って移動可能に配置するための配置部材をさらに備えている請求項１から３のいずれかに記載のピッキングシステム用表示装置。
【請求項５】
前記配置部材は、前記表示部を前記収納棚の前記棚板に前記水平方向に沿って移動可能に取り付ける取付部材である請求項４記載のピッキングシステム用表示装置。
【請求項６】
前記配置部材は、前記表示部の全部又は一部が前記収納領域の内側に入るように前記表示部を前記収納棚に配置する請求項４又は５記載のピッキングシステム用表示装置。
【請求項７】
前記配置部材は、前記収納棚における前記棚板の高さに応じて、前記表示部の表示面と前記棚板面とのなす角度が互いに異なるように前記表示部を配置できる複数の配置部材の中から選択されたものである請求項４から６のいずれかに記載のピッキングシステム用表示装置。
【請求項８】
一端が前記表示部に他端が前記制御装置に電気的に接続されるケーブルをさらに備えている請求項１から７のいずれかに記載のピッキングシステム用表示装置。
【請求項９】
請求項８記載のピッキングシステム用表示装置と、前記ピッキングシステム用表示装置を制御するための制御装置とを備えていることを特徴とするピッキングシステム。
【発明の詳細な説明】
【技術分野】
【０００１】
本発明は、ビデオカセットテープ、コンパクトディスク、ＤＶＤ、ゲームソフト媒体、書籍及び楽譜のうち少なくとも一つの物品を保管する保管倉庫等に設置される収納棚において当該物品の収納位置等を表示するピッキングシステム用表示装置及びピッキングシステムに関する。
【背景技術】
【０００２】
ビデオカセットテープ、コンパクトディスク（以下、ＣＤということがある）、ＤＶＤ、ゲームソフト媒体、書籍及び楽譜のうち少なくとも一つの物品を保管する保管倉庫等に設置される収納棚に収納される当該物品のピッキング（仕分け）作業を支援する従来のピッキングシステムとしては、制御コンピュータと、この制御コンピュータによって制御されるとともに、ビデオカセットテープ、ＣＤやＤＶＤの収納位置等を表示する１又は２以上の表示装置が棚板に配線レールを介してスライド自在に取り付けられた収納棚とを備えたピッキングシステムが知られている（例えば、特許文献１参照）。
【０００３】
このようなピッキングシステムでは、図６に示すように、所定の水平方向（図中Ｘ方向）に延びるとともに鉛直方向（図中Ｙ方向）に配設される１又は２以上の棚板Ｑ１を有する収納棚Ｑにおいて、ビデオカセットテープ、ＣＤ、ＤＶＤ、ゲームソフト媒体、書籍及び楽譜のうち少なくとも一つの、１又は同一種類の２以上の物品が収納される収納領域Ｐが１又は２以上区画され、この１又は２以上の収納領域Ｐに対応して棚板Ｑ１の前面にピッキングシステム用表示装置Ｍが横長に設けられ、この表示装置Ｍの前面に設けられたランプＭ１の点滅等によって対応する収納領域Ｐが指示されたことを示す表示が行われるとともに、その収納領域Ｐに収納されるビデオカセットテープ、ＣＤやＤＶＤについて、表示装置Ｍを正面から見てランプＭ１に囲まれて位置する表示部Ｍ２によって数量が表示され、かかる表示に基づいて作業者等によるビデオカセットテープ、ＣＤやＤＶＤのピッキング作業が行われることで、当該ピッキング作業の効率化が図られている。
【０００４】
ところが、図６に示す従来のピッキングシステムでは、ビデオカセットテープ、ＣＤやＤＶＤが収納される収納領域Ｐが区画され、この収納領域Ｐに対応して棚板Ｑ１の前面に表示装置Ｍが設けられるので、ビデオカセットテープ、ＣＤやＤＶＤの数量が増え、当該物品が一つの収納領域Ｐを超えて収納される場合には、通常、当該収納領域Ｐの範囲を水平方向Ｘに沿って増やすために当該収納領域Ｐの隣の収納領域Ｐを使用する。そうすると、当該収納領域Ｐと隣の収納領域Ｐとの間の壁Ｐ１を除去し、且つ、当該収納領域Ｐと隣の収納領域Ｐに対応する二つの表示装置Ｍのうちいずれか一方を取り外す必要がある。一方、ビデオカセットテープ、ＣＤやＤＶＤの数量が減り、当該物品が収納される収納領域Ｐの範囲を減らす場合には、通常、当該収納領域Ｐの範囲を水平方向に沿って減らすために当該収納領域を区切る。そうすると、当該収納領域Ｐにおいて壁Ｐ１を配置し、且つ、当該収納領域Ｐにおいて壁Ｐ１で仕切られて増えた収納領域Ｐに対応する表示装置Ｍを装着する場合がある。
【０００５】
そこで、従来の他のピッキングシステムでは、次のようなピッキング作業が行われることがある。すなわち、このピッキングシステムにおいては、図７及び図８に示すように、棚板Ｑ１に、それぞれがビデオカセットテープ、ＣＤ、ＤＶＤ、ゲームソフト媒体、書籍及び楽譜のうち少なくとも一つの、１又は同一種類の２以上のビデオカセットテープａ１〜ａ３、ＤＶＤやコンパクトディスクｂ１〜ｂ４からなる１種類又は互いに異なる２種類以上の物品群Ａ１〜Ａ３，Ｂ１〜Ｂ４、さらに具体的に言えば、同一種類のビデオカセットテープａ１からなる縦並びの物品群Ａ１、物品群Ａ１とは種類が異なる同一種類のビデオカセットテープａ２からなる縦並びの物品群Ａ２、物品群Ａ１，Ａ２とは種類が異なる同一種類のビデオカセットテープａ３からなる縦並びの物品群Ａ３などが水平方向Ｘに沿って収納され、或いは、同一種類のＤＶＤやコンパクトディスクｂ１からなる縦並びの物品群Ｂ１、物品群Ｂ１とは種類が異なる同一種類のＤＶＤやコンパクトディスクｂ２からなる縦並びの物品群Ｂ２、物品群Ｂ１，Ｂ２とは種類が異なる同一種類のＤＶＤやコンパクトディスクｂ３からなる縦並びの物品群Ｂ３、物品群Ｂ１〜Ｂ３とは種類が異なる同一種類のＤＶＤやコンパクトディスクｂ４からなる縦並びの物品群Ｂ４などが水平方向Ｘに沿って収納される。
【０００６】
これらの物品群Ａ１〜Ａ３，Ｂ１〜Ｂ４は、当該物品群毎に水平方向Ｘに増減可能な所定の収納区域に区画される。また、この収納棚Ｑは、物品群Ａ１〜Ａ３，Ｂ１〜Ｂ４毎の収納区域のうち１又は２以上の収納区域（例えば、物品群（Ａ１〜Ａ３）の三つの収納区域や物品群（Ｂ１〜Ｂ４）の四つの収納区域）について、棚板Ｑ１に収納されるビデオカセットテープ（ａ１〜ａ３）、ＣＤやＤＶＤ（ｂ１〜ｂ４）の棚板Ｑ１から鉛直方向Ｙに向かう領域が確保され、且つ、当該収納区域の増減に伴って水平方向Ｘに増減される収納領域Ｐが１又は２以上設けられる。さらに物品群（Ａ１〜Ａ３），（Ｂ１〜Ｂ４）を例にとって具体的に言えば、物品群（Ａ１〜Ａ３）毎の収納区域からなる収納領域Ｐ、物品群（Ｂ１〜Ｂ３）毎の収納区域からなる収納領域Ｐが設けられ、それぞれの物品群（Ａ１〜Ａ３），（Ｂ１〜Ｂ４）の水平方向Ｘ一方側（例えば、図中右側）に、当該収納区域の位置を示す符号（１〜３），（１〜４）（図８参照）が付された仕切り板（Ａ１’〜Ａ３’），（Ｂ１’〜Ｂ４’）が水平方向Ｘに沿って移動可能に挿入される。そして、物品群（Ａ１〜Ａ３），（Ｂ１〜Ｂ４）毎の収納区域は、物品群（Ａ１〜Ａ３），（Ｂ１〜Ｂ４）におけるビデオカセットテープ（ａ１〜ａ３）、ＣＤやＤＶＤ（ｂ１〜ｂ４）の収納数量の増減に応じて仕切り板（Ａ１’〜Ａ３’），（Ｂ１’〜Ｂ４’）が水平方向Ｘに沿って移動することで、増減できるようになっており、また、収納領域Ｐを区別するために隣の収納領域Ｐに隣接する仕切り板Ａ１’，Ｂ１’の色が他の仕切り板（Ａ２’〜Ａ３’），（Ｂ２’〜Ｂ４’）とは異なる色になっている。
【０００７】
この１又は２以上の収納領域Ｐに対応して棚板Ｑ１の前面にピッキングシステム用表示装置Ｍ’が横長に設けられ、この表示装置Ｍ’の前面に設けられたランプＭ１の点滅等によって対応する収納領域Ｐが指示されたことを示す表示が行われ、その収納領域Ｐについて、表示装置Ｍ’を正面から見てランプＭ１に囲まれて位置する表示部Ｍ２’によって収納区域の位置に関する位置情報及び収納区域に収納されるビデオカセットテープ、ＣＤやＤＶＤの数量に関する数量情報のうち少なくとも前記数量情報が表示され、かかる表示に基づいて作業者等によるビデオカセットテープ、ＣＤやＤＶＤのピッキング作業が行われることで、当該ピッキング作業の効率化が図られている。
【０００８】
さらに説明すると、ランプＭ１は、制御コンピュータ（図示省略）にて指示される収納領域Ｐを作業者等に報知するために点滅等の表示がされる。表示部Ｍ２’は、例えば、符号表示部Ｍ２１及び数量表示部Ｍ２２（図８参照）を備えており、符号表示部Ｍ２１では、制御コンピュータにて指示される収納区域に対応する符号が表示され、数量表示部Ｍ２２では、当該収納区域に収納されるビデオカセットテープ、ＣＤやＤＶＤの数量が表示される。また、数量表示部Ｍ２２は、既述のとおり、ビデオカセットテープ、ＣＤやＤＶＤの数量を表示するとともに、制御コンピュータに応答信号を伝達するスイッチの役割を兼ねている。
【０００９】
棚板Ｑ１に設けられる表示装置Ｍ’は、水平方向Ｘに沿ってスライド可能となっている。棚板Ｑ１には、表示装置Ｍ’をスライド可能に装着するための配線レールＱ２が設けられている。この表示装置Ｍ’が装着される配線レールＱ２の基板部には、表示装置Ｍ’と、該表示装置Ｍ’を制御し、一括管理する前記の制御コンピュータとを電気的に接続する導電線Ｑ３が敷設されている。そして、この導電線Ｑ３と表示装置Ｍに設けられた接続端子との電気的な接触により、制御コンピュータと表示装置Ｍ’とがケーブルＱ４を介して電気的に接続され、表示装置Ｍ’に該表示装置Ｍ’を駆動する駆動電力と、表示部Ｍ２’の表示状態及びランプＭ１の表示状態を制御する制御信号とが伝達可能な状態となる。また、配線レールＱ２において、表示装置Ｍ’が装着されていない箇所は、カバーＱ５が取り付けられる。
【００１０】
以上説明した従来のピッキングシステムでは、ピッキング作業が行われるにあたり、表示装置Ｍ’が制御コンピュータから指示されると、ランプＭ１が点滅等して対応する収納領域Ｐが指示されたことを示す表示が行われるとともに、ランプＭ１が表示されている収納領域Ｐにおける収納区域に対応する符号が表示部Ｍ２１に表示され、さらに、表示部Ｍ２１に表示されている符号に対応する収納区域の物品群から取り出すべきビデオカセットテープ、ＣＤやＤＶＤの数量が表示部Ｍ２２に表示される。このとき、作業者等は、例えば、ランプＭ１の点滅等している収納領域Ｐにおいて、符号表示部Ｍ２１に表示されている符号に対応する収納区域の物品群から数量表示部Ｍ２２に表示されている数量のビデオカセットテープ、ＣＤやＤＶＤを取り出し、指示された作業を終了した後、表示部Ｍ２２を指で押して制御コンピュータに作業が終了した旨の応答信号を伝達する。かくして、ビデオカセットテープ、ＣＤやＤＶＤのピッキング作業がなされる。
【特許文献１】特開平１０−１７７３５３号公報
【発明の開示】
【発明が解決しようとする課題】
【００１１】
しかしながら、図７及び図８に示す従来のピッキングシステムでは、物品群Ａ１〜Ａ３，Ｂ１〜Ｂ４毎の収納区域のうち１又は２以上の収納区域について、棚板Ｑ１に収納されるビデオカセットテープ（ａ１〜ａ３）、ＣＤやＤＶＤ（ｂ１〜ｂ４）の棚板Ｑ１から鉛直方向Ｙに向かう領域が確保され、且つ、当該収納区域の増減に伴って水平方向Ｘに増減される収納領域Ｐが設けられ、この収納領域Ｐに対応して棚板Ｑ１の前面に表示装置Ｍ’が設けられるので、図６に示すピッキングシステムのようにビデオカセットテープ、ＣＤやＤＶＤの数量の増減によって壁を除去したり或いは追加配置したりしなくてもよいものの、ビデオカセットテープ（ａ１〜ａ３）、ＣＤやＤＶＤ（ｂ１〜ｂ４）の数量が増減したり、物品群（Ａ１〜Ａ３），（Ｂ１〜Ｂ４）の種類が増減したりすると、収納棚Ｑに設けられる収納領域Ｐの水平方向Ｘの大きさが増減し、このとき棚板Ｑ１の水平方向Ｘの長さは一定であるので、棚板Ｑ１における収納領域Ｐの水平方向Ｘの大きさや数が増減し、それに伴って、工具等を用いて表示装置Ｍ’を取り外したり或いは追加装着したり、さらには表示装置Ｍ’の数や位置に合わせてカバーＱ５を取替える等の作業が必要である。このように、ビデオカセットテープ、ＣＤやＤＶＤの数量や物品群の種類の増減によって、工具等を用いて収納棚を改変しなければ、表示装置Ｍ’を収納領域Ｐにうまく対応させることができず、これによりビデオカセットテープ、ＣＤやＤＶＤの数量や物品群の種類の増減に伴う作業者等の作業負担が増加する。
【００１２】
本発明は、前記問題に鑑みてなされたもので、所定の水平方向に延びるとともに鉛直方向に配設される１又は２以上の棚板を有し、前記１又は２以上の棚板に、それぞれがビデオカセットテープ、コンパクトディスク（ＣＤ）、ＤＶＤ、ゲームソフト媒体、書籍及び楽譜のうち少なくとも一つの、１又は同一種類の２以上の物品からなる１種類又は互いに異なる２種類以上の物品群が当該物品群毎に前記水平方向に増減可能な所定の収納区域に区画されて前記水平方向に沿って収納されるとともに、前記物品群毎の収納区域のうち１又は２以上の収納区域について、前記棚板に収納される当該物品の前記棚板から前記鉛直方向に向かう領域が確保され、且つ、当該収納区域の増減に伴って前記水平方向に増減される収納領域が１又は２以上設けられる収納棚に用いられる表示装置であって、制御装置によって制御されることで、前記制御装置にて指示される前記収納領域について、前記制御装置にて指示される前記収納区域に収納される当該物品の数量に関する数量情報を少なくとも含む収納情報を表示するピッキングシステム用表示装置及びピッキングシステムであって、ビデオカセットテープ、ＣＤやＤＶＤの数量や前記物品群の種類が増減し、前記収納領域の前記水平方向の大きさや数が増減することがあっても、工具等を用いて前記収納棚を改変することなく、前記表示装置を前記収納領域に柔軟に対応させることができ、これによりビデオカセットテープ、ＣＤやＤＶＤの数量や前記物品群の種類の増減に伴う作業者等の作業負担を軽減することができるピッキングシステム用表示装置及びピッキングシステムを提供することを課題とする。
【課題を解決するための手段】
【００１３】
本発明は、前記課題を解決するため、所定の水平方向に延びるとともに鉛直方向に配設される１又は２以上の棚板を有し、前記１又は２以上の棚板に、それぞれがビデオカセットテープ、コンパクトディスク（ＣＤ）、ＤＶＤ、ゲームソフト媒体、書籍及び楽譜のうち少なくとも一つの、１又は同一種類の２以上の物品からなる１種類又は互いに異なる２種類以上の物品群が当該物品群毎に前記水平方向に増減可能な所定の収納区域に区画されて前記水平方向に沿って収納されるとともに、前記物品群毎の収納区域のうち１又は２以上の収納区域について、前記棚板に収納される当該物品の前記棚板から前記鉛直方向に向かう領域が確保され、且つ、当該収納区域の増減に伴って前記水平方向に増減される収納領域が１又は２以上設けられる収納棚に用いられる表示装置であって、制御装置によって制御されることで、前記制御装置にて指示される前記収納領域について、前記制御装置にて指示される前記収納区域に収納される当該物品の数量に関する数量情報を少なくとも含む収納情報を表示するピッキングシステム用表示装置であり、（正面視（正面から見て））所定の長手方向に延びる所定の細長形状を呈する表示部を備えており、前記表示部は、前記収納情報を表示するための表示手段と、前記制御装置に応答信号を伝達するための操作手段とが設けられ、前記表示部において表示される表示内容の天地方向が前記長手方向を向いているピッキングシステム用表示装置を提供する。
【００１４】
本発明に係る表示装置において、一端が前記表示部に他端が前記制御装置に電気的に接続されるケーブルをさらに備えることができる。この場合、本発明はまた、前記課題を解決するため、前記ケーブルを備えた本発明に係る表示装置と、前記ピッキングシステム用表示装置を制御するための制御装置とを備えているピッキングシステムも提供する。なお、前記のケーブルは、一端が前記表示部にコネクタを介して接続されてもよいし、直接的に接続（いわゆる直付け）されてもよい。また、前記ケーブルの他端は、前記制御装置にコネクタを介して接続されることが好ましい。
【００１５】
本発明に係るピッキングシステム用表示装置及びピッキングシステムでは、前記表示部が所定の長手方向に延びる所定の細長形状を呈し、前記表示部において表示される表示内容の天地方向が前記長手方向を向いているので、前記収納棚に用いられるに際しては、前記長手方向が前記水平方向に対して直交又は略直交するように、且つ、前記収納領域から前記水平方向に延びる水平方向領域において、前記棚板に収納される前記物品群の前記水平方向両側物品群のうちいずれか一方の前記水平方向外側に前記表示部を前記水平方向に沿って移動可能に配置すればよい。この場合、本発明の表示装置は、該表示装置及び前記収納棚とは別途設けられた支持部材等によって前記水平方向に沿って移動可能に支持されてもよいし、前記表示部を前記収納棚に設けるために前記表示部を前記収納棚に前記水平方向に沿って移動可能に配置するための配置部材をさらに備えていてもよい。こうすることで、前記収納棚として、汎用の収納棚を用いることができる。この場合、前記配置部材は、例えば、前記表示部を前記収納棚の前記棚板に前記水平方向に沿って移動可能に取り付ける取付部材であってもよし、前記収納棚の材質が鉄のような磁性材料である場合には、前記配置部材は、磁石を含むものであってもよい。なお、本発明の表示装置は、前記収納棚に固定配置されていてもよい。この場合、この表示装置としては、前記収納棚の柱等の、前記長手方向が前記水平方向に対して直交又は略直交するように、且つ、前記水平方向領域において、前記水平方向両側物品群のうちいずれか一方の前記水平方向外側に前記表示部を配置できるところに一体的に形成されていてもよい。このような収納棚は、例えば、専用の収納棚とすることができる。
【００１６】
このように本発明に係る表示装置及びピッキングシステムによると、前記長手方向に延びる所定の細長形状を呈する前記表示部が、前記長手方向が前記水平方向に対して直交又は略直交するように、且つ、前記水平方向領域において、前記水平方向両側物品群のうちいずれか一方の前記水平方向外側に前記水平方向に沿って移動可能に配置されるので、ビデオカセットテープ、ＣＤやＤＶＤの数量が増減したり、前記物品群の種類が増減したりして、前記収納棚に設けられる前記収納領域の前記水平方向の大きさが増減し、さらには前記棚板における前記収納領域の数が増減しても、工具等を用いて前記収納棚を改変することなく、前記表示部を前記収納領域に柔軟に対応させることができ、これによりビデオカセットテープ、ＣＤやＤＶＤの数量や前記物品群の種類の増減に伴う作業者等の作業負担を軽減することができる。
【００１７】
前記収納領域に収納されるビデオカセットテープ、ＣＤ、ＤＶＤ、ゲームソフト媒体、書籍及び楽譜の収納形態としては、横積み、縦並べ等いずれの収納形態でもよい。なお、ここでいうビデオカセットテープ、ＣＤ、ＤＶＤ、ゲームソフト媒体等は、いわゆるビデオカセットテープ、ＣＤ、ＤＶＤ、ゲームソフト媒体等それ自体や、ビデオカセットテープ、ＣＤ、ＤＶＤ、ゲームソフト媒体等が収容された収容ケース等も含む概念であり、一般的に流通され、キッピング（仕分け）作業されるものであれば、いずれのものも含む。また、前記のＤＶＤは、デジタル・バーサタイル・ディスク或いはデジタル・ビデオ・ディスクと呼ばれるものであり、映像や音等を収録再生できるディスクである。
【００１８】
前記表示部は、正面視（正面から見て）所定の長手方向に延びる所定の細長形状を呈しているが、この表示部の形状としては、例えば、長方形状、ひし形状、細長の六角形や八角形等の多角形状、楕円形状等を挙げることができる。なお、長方形状等のように前記表示部に角部がある場合には、当該角部について、面取り、例えば、丸みを付けてもよい。こうすることで、見栄えが良くなるとともに、ビデオカセットテープ、ＣＤやＤＶＤの出し入れが行い易くなる。前記表示部の長手方向の最大幅としては、１０ｃｍ〜２０ｃｍ程度を、短手方向の最大幅としては、２ｃｍ〜３ｃｍ程度を例示できる。また、前記長手方向の最大幅は、前記短手方向の最大幅の４倍〜１０倍程度を例示できる。但し、それに限定されるものではない。なお、前記表示部の奥行き方向の厚みは、前記収納棚の奥行き方向の長さ程度でもよいが、前記棚板の収納スペースを考慮すると、薄い方が好ましい。本発明の表示装置において、前記表示部の奥行き方向の厚みが比較的薄い場合には、前記表示部の背面を支持し、前記長手方向に平行又は略平行に、且つ、前記表示部の奥行き方向に延びる支持板を備えていてもよい。この支持板は、前記物品群を仕切る仕切り板を兼ねることができる。
【００１９】
本発明に係る表示装置は、前記収納棚に用いられるに際しては、既述したように、前記表示部が、前記長手方向が前記水平方向に対して直交又は略直交するように、且つ、前記水平方向領域において、前記水平方向両側物品群のうちいずれか一方の前記水平方向外側に前記水平方向に沿って移動可能に配置されるのであるが、作業者等が、対応する前記収納領域を一見して理解できるように、前記表示部は、前記表示部の全部又は一部が当該収納領域の内側に入るように配置されることが好ましい。従って、本発明の表示装置が前記配置部材を備えているときは、前記配置部材は、前記表示部の全部又は一部が前記収納領域の内側に入るように前記表示部を前記収納棚に配置することが好ましい。ところで、前記表示部は、前記収納棚の前面部から外側に突き出ると、前記収納棚の配置スペースの観点から、好ましくない。そこで、前記表示部は、前記表示部の全部又は一部が前記収納棚の前面部から内側に入るように（例えば、前記収納棚が汎用のものである場合には、当該収納棚の奥行きの寸法に応じて、当該収納棚の奥行き方向に沿って移動可能に）配置されることが好ましい。従って、本発明の表示装置が前記配置部材を備えているときは、前記配置部材は、前記表示部の全部又は一部が前記収納棚の前面部から内側に入るように（例えば、前記収納棚が汎用のものである場合には、当該収納棚の前面部に対する突き出し量が調整できるように、当該収納棚の奥行き方向に沿って移動可能に）前記表示部を前記収納棚に配置することが好ましい。
【００２０】
また、本発明の表示装置が前記配置部材を備えている場合、例えば、前記収納棚における前記棚板に収納されるビデオカセットテープ、ＣＤやＤＶＤの収納高さ位置が、作業者等の背丈より高いところに位置していたり、床付近に位置していたりすると、前記表示部が前記のような高い位置や低い位置に設けられることとなり、前記表示部において表示される表示内容が見づらくなる。そこで、例えば、前記収納棚における前記棚板の高さに応じて、前記表示部の表示面と前記棚板面とのなす角度が互いに異なるように前記表示部を配置できる複数の配置部材を用意しておくことが好ましい。こうすることで、前記配置部材を、前記用意しておいた複数の配置部材の中から選択されたものとすることができる。例えば、前記表示部が、作業者等の背丈より高いところに配置されるときは、前記配置部材として前記用意しておいた複数の配置部材の中から前記なす角度が鈍角になるように前記表示部を配置できる配置部材が適宜選択されることで、また、床付近に配置されるときは、前記配置部材として前記用意しておいた複数の配置部材の中から前記なす角度が鋭角になるように前記表示部を配置できる配置部材が適宜選択されることで、前記表示部において表示される表示内容を見易くすることができる。
【００２１】
本発明に係る表示装置において、前記操作手段は、前記制御装置に応答信号を伝達するための操作スイッチ（例えば、プッシュスイッチ）であってもよい。この場合、前記操作スイッチは、対応する前記収納領域が指示されたことを示すランプを兼ねていてもよい。前記収納情報は、前記制御装置にて指示される前記収納区域の位置に関する位置情報をさらに含んでいてもよい。この場合、前記位置情報としては、前記制御装置にて指示される前記収納区域に対応する符号（例えば、数字やアルファベット等）を例示できる。また、前記制御装置にて指示される前記収納区域に収納されるビデオカセットテープ、ＣＤやＤＶＤの数量に関する数量情報としては、当該収納区域に収納されるビデオカセットテープ、ＣＤやＤＶＤの取り出し数量や収納数量などを例示できる。例えば、前記収納棚に設けられる前記収納領域（具体的には、前記物品群を仕切る仕切り板）には、前記収納区域の位置を示す符号（具体的には、数字やアルファベット等）が付されていてもよい。この場合において、前記表示手段は、前記位置情報として前記制御装置にて指示される前記収納区域に対応する前記符号が表示される符号表示部と、前記数量情報として当該収納区域に収納されるビデオカセットテープ、ＣＤやＤＶＤの数量（例えば、取り出し数量）が表示される数量表示部（例えば、取り出し数量表示部）とを備えることができる。なお、前記収納領域において前記収納区域が一つの場合には、前記表示手段は少なくとも前記数量表示部（例えば、取り出し数量表示部）を備えていればよい。また、前記収納領域において前記収納区域が複数ある場合には、前記表示手段は、この他に、例えば、前記数量情報としてピッキングすべき収納区域の数量（残り数量）が表示される残り数量表示部をさらに備えていてもよい。
【００２２】
前記操作手段が前記操作スイッチであり、前記表示手段が前記符号表示部及び前記数量表示部を備える場合、当該表示部において、前記符号表示部、前記数量表示部及び前記操作スイッチのうち、少なくとも二つが前記長手方向に沿って並設されていてもよい。例えば、前記残り数量表示部、前記符号表示部、前記取り出し数量表示部、及び対応する前記収納領域が指示されたことを示すランプを兼ねる前記操作スイッチがこの順で上から並んでいる場合を挙げることができる。こうすることで、特に、ビデオカセットテープ、ＣＤやＤＶＤが前記長手方向に縦並びに収納される場合において、例えば、当該縦並びのビデオカセットテープ、ＣＤやＤＶＤの背表紙にタイトル等の文字が記載されているときに、ピッキング作業の際の作業者等の目線の移動方向（前記長手方向）が当該表示部（例えば前記長手方向に並ぶ前記符号表示部、前記取り出し数量表示部等）と当該ビデオカセットテープ、ＣＤやＤＶＤ（例えば前記長手方向に並ぶタイトル等）とで揃うので、タイトル等に対するビデオカセットテープ、ＣＤやＤＶＤの誤認や、前記符号表示部及び前記取り出し数量表示部等の表示読取ミス等を低減させることができる。
【発明の効果】
【００２３】
以上説明したように本発明によると、所定の水平方向に延びるとともに鉛直方向に配設される１又は２以上の棚板を有し、前記１又は２以上の棚板に、それぞれがビデオカセットテープ、ＣＤ、ＤＶＤ、ゲームソフト媒体、書籍及び楽譜のうち少なくとも一つの、１又は同一種類の２以上の物品からなる１種類又は互いに異なる２種類以上の物品群が当該物品群毎に前記水平方向に増減可能な所定の収納区域に区画されて前記水平方向に沿って収納されるとともに、前記物品群毎の収納区域のうち１又は２以上の収納区域について、前記棚板に収納される当該物品の前記棚板から前記鉛直方向に向かう領域が確保され、且つ、当該収納区域の増減に伴って前記水平方向に増減される収納領域が１又は２以上設けられる収納棚に用いられる表示装置であって、制御装置によって制御されることで、前記制御装置にて指示される前記収納領域について、前記制御装置にて指示される前記収納区域に収納される当該物品の数量に関する数量情報を少なくとも含む収納情報を表示するピッキングシステム用表示装置及びピッキングシステムであって、ビデオカセットテープ、ＣＤやＤＶＤの数量や前記物品群の種類が増減し、前記収納領域の前記水平方向の大きさや数が増減することがあっても、工具等を用いて前記収納棚を改変することなく、前記表示装置を前記収納領域に柔軟に対応させることができ、これによりビデオカセットテープ、ＣＤやＤＶＤの数量や前記物品群の種類の増減に伴う作業者等の作業負担を軽減することができるピッキングシステム用表示装置及びピッキングシステムを提供することができる。
【発明を実施するための最良の形態】
【００２４】
以下、本発明に係る実施の形態について図面を参照しながら説明する。図１は本発明に係るピッキング用表示装置の一例が汎用の収納棚に取り付けられたピッキングシステムの一例の概略構成を示す図である。
【００２５】
ピッキングシステム１００は、図１に示すように、前記の表示装置１０と、制御装置２０を具備しており、表示装置１０が、汎用の収納棚３０に取り付けられている。
【００２６】
収納棚３０は、所定の水平方向（図中Ｘ方向）に延びるとともに鉛直方向（図中Ｙ方向）に配設される１又は２以上の棚板３１を有し、この棚板３１に、１又は同一種類の２以上のビデオカセットテープａ１〜ａ３、ＤＶＤやコンパクトディスクｂ１〜ｂ４からなる１種類又は互いに異なる２種類以上の物品群Ａ１〜Ａ３，Ｂ１〜Ｂ４が当該物品群毎に水平方向Ｘに増減可能な所定の収納区域に区画されて水平方向Ｘに沿って収納される。なお、ビデオカセットテープａ１〜ａ３、ＤＶＤやコンパクトディスクｂ１〜ｂ４の収納形態は、図７及び図８に示す従来のピッキングシステムの収納形態と同様である。
【００２７】
すなわち、同一種類のビデオカセットテープａ１からなる縦並びの物品群Ａ１、物品群Ａ１とは種類が異なる同一種類のビデオカセットテープａ２からなる縦並びの物品群Ａ２、物品群Ａ１，Ａ２とは種類が異なる同一種類のビデオカセットテープａ３からなる縦並びの物品群Ａ３などが水平方向Ｘに沿って収納され、或いは、同一種類のＤＶＤやコンパクトディスクｂ１からなる縦並びの物品群Ｂ１、物品群Ｂ１とは種類が異なる同一種類のＤＶＤやコンパクトディスクｂ２からなる縦並びの物品群Ｂ２、物品群Ｂ１，Ｂ２とは種類が異なる同一種類のＤＶＤやコンパクトディスクｂ３からなる縦並びの物品群Ｂ３、物品群Ｂ１〜Ｂ３とは種類が異なる同一種類のＤＶＤやコンパクトディスクｂ４からなる縦並びの物品群Ｂ４などが水平方向Ｘに沿って収納される。
【００２８】
これらの物品群Ａ１〜Ａ３，Ｂ１〜Ｂ４は、当該物品群毎に水平方向Ｘに増減可能な所定の収納区域に区画される。また、この収納棚３０は、物品群Ａ１〜Ａ３，Ｂ１〜Ｂ４毎の収納区域のうち１又は２以上の収納区域（例えば、物品群（Ａ１〜Ａ３）の三つの収納区域や物品群（Ｂ１〜Ｂ４）の四つの収納区域）について、棚板３１に収納されるビデオカセットテープ（ａ１〜ａ３）、ＣＤやＤＶＤ（ｂ１〜ｂ４）の棚板３１から鉛直方向Ｙに向かう領域が確保され、且つ、当該収納区域の増減に伴って水平方向Ｘに増減される収納領域Ｐが１又は２以上設けられる。さらに物品群（Ａ１〜Ａ３），（Ｂ１〜Ｂ４）を例にとって具体的に言えば、物品群（Ａ１〜Ａ３）毎の収納区域からなる収納領域Ｐ、物品群（Ｂ１〜Ｂ３）毎の収納区域からなる収納領域Ｐが設けられ、それぞれの物品群（Ａ１〜Ａ３），（Ｂ１〜Ｂ４）の水平方向Ｘ一方側（例えば、図中右側）に、当該収納区域の位置を示す符号（１〜３），（１〜４）（図８参照）が付された仕切り板（Ａ１’〜Ａ３’），（Ｂ１’〜Ｂ４’）が水平方向Ｘに沿って移動可能に挿入される。そして、物品群（Ａ１〜Ａ３），（Ｂ１〜Ｂ４）毎の収納区域は、物品群（Ａ１〜Ａ３），（Ｂ１〜Ｂ４）におけるビデオカセットテープ（ａ１〜ａ３）、ＣＤやＤＶＤ（ｂ１〜ｂ４）の収納数量の増減に応じて仕切り板（Ａ１’〜Ａ３’），（Ｂ１’〜Ｂ４’）が水平方向Ｘに沿って移動することで、増減できるようになっている。この１又は２以上の収納領域Ｐに対応して表示装置１０の後述する表示部１１が設けられる。
【００２９】
図２（Ａ）に表示装置１０の表示部１１が棚板３１に取り付けられた状態の概略平面図を示し、図２（Ｂ）に図２（Ａ）の状態の概略側面図を示す。表示装置１０は、前記の表示部１１の他、ケーブル１２、取付部材１３（配置部材の一例）を備えている。ケーブル１２は、一端が表示部１１に直接的に接続されているとともに、他端が制御装置２０にコネクタを介して接続される。
【００３０】
表示部１１は、本例では、制御装置２０によって制御されることで、制御装置２０にて指示される収納領域Ｐについて、制御装置２０にて指示される前記収納区域の位置に関する位置情報及び当該収納区域に収納されるビデオカセットテープ、ＣＤやＤＶＤの数量に関する数量情報を表示するものであり、所定の長手方向に延びる所定の細長形状を呈している。この表示部１１の形状は長方形状であり、角部に丸みが付けられている。表示部１１の長手方向の幅ｈ１は、１０ｃｍ〜２０ｃｍ程度であり、短手方向の幅ｈ２は、２ｃｍ〜３ｃｍ程度である。前記の長手方向の幅ｈ１は、短手方向の幅ｈ２の４倍〜１０倍程度である。また、表示部１１は、奥行き方向の厚みｈ３が比較的薄く、表示部１１の背面を支持し、長手方向に平行又は略平行に、且つ、表示部１１の奥行き方向に延びる支持板１４を備えている。この支持板１４は、前記物品群を仕切る仕切り板を兼ねており、側面の中央部に円形の凹部１４ａが設けられている。この支持板１４により、収納されるビデオカセットテープ、ＣＤやＤＶＤの収納状態を安定させることができるともに、側面の凹部１４ａにより、表示部１１を持ち運んだり、水平方向Ｘに移動させたりするときに持ち易くすることができる。
【００３１】
表示部１１には、前記位置情報及び前記数量情報を含む収納情報を表示するための表示手段１１１と、制御装置２０に応答信号を伝達するための操作手段１１２とが設けられている。本例では、制御装置２０にて指示される前記収納区域の位置に関する位置情報は、制御装置２０にて指示される前記収納区域に対応する符号（図示例では、数字）とし、当該収納区域に収納されるビデオカセットテープ、ＣＤやＤＶＤの数量に関する数量情報は、当該収納区域に収納される物品の数量（図示例では、取り出し数量）としている。そして、収納棚３０に設けられる収納領域Ｐ（例えば、前記物品群（Ａ１〜Ａ３），（Ｂ１〜Ｂ４）を仕切る仕切り板（Ａ１’〜Ａ３’），（Ｂ１’〜Ｂ４’））には、前記収納区域の位置を示す符号（図示例では、数字）が付されており、収納領域Ｐに対応する表示手段１１１は、前記位置情報として制御装置２０にて指示される前記収納区域に対応する符号（図示例では、番号）が表示される符号表示部１１１ａと、前記数量情報として当該収納区域に収納されるビデオカセットテープ、ＣＤやＤＶＤの数量（図示例では、取り出し数量）が表示される数量表示部１１１ｂと、さらに前記数量情報としてピッキングすべき収納区域の数量（残り数量）が表示される残り数量表示部１１１ｃとを備えている。操作手段１１２は、本例では、制御装置２０に応答信号を伝達するための操作スイッチ（ここではプッシュスイッチ）であり、対応する収納領域Ｐが指示されたことを示すランプを兼ねている。なお、本例では、操作手段としてプッシュスイッチを採用するが、例えば、プッシュスイッチに代えて仕切り板（Ａ１’〜Ａ３’），（Ｂ１’〜Ｂ４’）に読み取り用コード（例えば、バーコード）を付しておき、ピッキング者が読み取り用コードリーダ（例えば、バーコードリーダー）を用いて、ピッキング終了時に、仕切り板に付された読み取り用コードを読み取るようにしてもよい。こうすることで、かかる読み取り情報を応答信号として、例えば、無線等の情報伝達手段により制御装置２０に伝達することができる。
【００３２】
この表示部１１において、表示される表示内容の天地方向は長手方向を向いており、符号表示部１１１ａ、数量表示部１１１ｂ及び操作スイッチのうち、少なくとも二つが長手方向に沿って並設されている。本例では、残り数量表示部１１１ｃ、符号表示部１１１ａ、取り出し数量表示部１１１ｂ及びランプ兼操作スイッチ１１２がこの順で上から並んでおり、表示の見易さの観点から、各表示部１１１ａ〜１１１ｃの少なくとも周縁部分、さらに言えば、表示部１１の地色は暗色系としている。なお、表示部１１の短手方向の幅を小さくできるように、各表示部１１１ａ〜１１１ｃの表示桁数を２桁以下としている。また、図３に示すように、符号表示部１１１ａの近傍に、対応する収納領域Ｐを示す文字、図形、記号等の案内情報が記されていてもよい。図示例では、符号表示部１１１ａの周囲に、対応する収納領域Ｐを示す矢印記号Ｈが記されている。この場合、収納領域Ｐにおける仕切り板（Ａ１’〜Ａ３’），（Ｂ１’〜Ｂ４’）を色付けし（例えば、収納領域Ｐ毎に異なる色とし）、前記案内情報（図示例では、矢印記号）と、対応する収納領域Ｐの仕切り板とを同じ色にしてもよい。
【００３３】
取付部１３は、図１及び図２に示すように、表示部１１の長手方向が水平方向Ｘに対して直交又は略直交するように、且つ、収納領域Ｐから水平方向Ｘに延びる水平方向領域ＰＸにおいて、棚板３１に収納される物品群（Ａ１〜Ａ３），（Ｂ１〜Ｂ４）の水平方向Ｘ両側物品群（Ａ１及びＡ３），（Ｂ１及びＢ４）のうちいずれか一方Ａ１、Ｂ１の水平方向Ｘ外側に表示部１１を設けるために表示部１１を収納棚３０の棚板３１に水平方向Ｘに沿って移動可能に取り付けるとともに、さらに作業者等が、対応する収納領域Ｐを一見して理解できるように、表示部１１を、表示部１１の全部又は一部が当該収納領域Ｐの内側に入るように取り付けることができるものである。また、取付部１３は、表示部１１の全部又は一部が収納棚３０の前面部から内側に入り、収納棚３０の前面部に対する突き出し量が調整できるように、収納棚３０の奥行き方向に沿って移動可能に取り付けることができる（図２（Ｂ）参照）。なお、ここでの取付部１３は、図２（Ｂ）に示すように、一般的によく使用される、棚板３１が断面略Ｌ字形状の汎用の収納棚３０に対応するものである。その他の汎用の収納棚に対応させるときは、取付部として、その形状を棚板の形状に応じて適宜変更したものを複数容易しておくことができる。以下、取付部１３について詳述する。
【００３４】
取付部１３は、図２に示すように、取付金具１３１、表示部１１を取付金具１３１に支持する第１固定ピン１３２及び取付金具１３１を棚板３１に支持する第２固定ピン１３３を備えている。取付金具１３１は、開放部が棚板３１に対向する断面略コの字形状の第１金具部１３１ａと、第１金具部１３１ａの一方の端部１３１ａ’から棚板３１の前面部３１ａを囲むよう屈曲して延びる第２金具部１３１ｂを有している。この第１金具部１３１ａの頂部１３１ａ’に表示部１１を支持する前記の支持板１４が配置される。支持板１４の底部には、第１固定ピン１３２の雄ねじに対応する雌ねじ穴１４ａが設けられており、第１金具部１３１ａの頂部１３１ａ’には、第１固定ピン１３２を貫通するとともに収納棚３０の奥行き方向に細長い長孔の貫通孔１３１ａ”が設けられている。また、第２金具部１３１ｂの端部には、第２固定ピン１３３の雄ねじに対応する雌ねじ貫通孔１３１ｂ’が設けられている。これにより、取付金具１３１は、貫通孔１３１ｂ’に挿入された第２固定ピン１３３にて第２固定ピン１３３と第２金具部１３１ｂの屈曲部とに挟まれた棚板３１が締め付けられることで、固定される。このように、表示部１１は、取付金具１３１を介して収納棚３１の棚板３１に、作業者等が固定ピン１３２，１３３を手締めすることで工具等を用いることなく、取り付けることができる。
【００３５】
ところで、一般的な汎用の収納棚では、棚板の端部に棚板を取り付けるための棚板支持金具等の部材が設けられることがある。このような場合に対応して、取付部１３は、図２（Ａ）に示すように、取付金具１３１の表示部１１から棚板３１にかけて延びる部分について、水平方向Ｘ一方側（図中右側）に屈曲させることで、表示部１１配置位置と、棚板３１取り付け位置とが水平方向Ｘ一方側に（図示例では、表示部１１が物品群Ａ１、Ｂ１の左側に配置されるので、表示部１１配置位置に対して棚板３１取り付け位置が右側に）ずれようにしてもよい。こうすることで、表示部１１を収納棚３０の端部（図示例では、左端部）にいっぱいに配置する場合において、収納棚３０に棚板３１を取り付けるための棚板支持金具等の部材を避けることができる。
【００３６】
また、収納棚３０における棚板３１に収納されるビデオカセットテープ、ＣＤやＤＶＤの収納高さ位置が、作業者等の背丈より高いところに位置していたり、床付近に位置していたりすると、表示部１１が前記のような高い位置や低い位置に設けられることとなり、表示部１１において表示される表示内容が見づらくなる。そこで、例えば、収納棚３０における棚板３１の高さに応じて、表示部１１の表示面と棚板３１面とのなす角度θが互いに異なるように表示部１１を取り付けることができる複数の取付部材を用意しておくことが好ましい。図４に当該複数の取付部材のうちの一例１３Ｘが棚板３１に取り付けられた状態の概略側面図を示す。こうすることで、取付部材１３を、前記用意しておいた複数の取付部材の中から選択されたものとすることができる。例えば、表示部１１が、作業者等の背丈より高いところに取り付けられるときは、前記取付部材として前記用意しておいた複数の取付部材の中から前記なす角度θが鈍角になるように表示部１１を取り付けることができる取付部材（図４に示すような取付部材１３Ｘ）が適宜選択されることで、また、床付近に取り付けられるときは、前記取付部材として前記用意しておいた複数の取付部材の中から前記なす角度θが鋭角になるように表示部１１を取り付けることができる取付部材が適宜選択されることで、表示部１１において表示される表示内容を見易くできる。なお、前記なす角度θが変更されることで、支持板１４の角部が棚板３１等に当たり、邪魔になることがあるので、当該角部Ｔを面取りすることが好ましい。
【００３７】
以上説明した表示装置１０を備えたピッキングシステム１００では、ピッキング作業が行われるにあたり、表示装置１０が制御装置２０から指示されると、表示部１１に設けられたランプ兼用操作スイッチ１１２が点滅等して対応する収納領域Ｐが指示されたことを示す表示が行われるとともに、ランプ１１２が表示されている収納領域Ｐにおける収納区域に対応する符号が符号表示部１１１ａに表示され、さらに、表示部１１に表示されている符号に対応する収納区域の物品群から取り出すべきビデオカセットテープ、ＣＤやＤＶＤの残り数量及び取り出し数量がそれぞれ残り数量表示部１１１ｃ及び数量表示部１１１ｂに表示される。このとき、ランプ１１２の点滅等している収納領域Ｐにおいて、例えば、図５（Ａ）に示すように、残り数量表示部１１１ｃにてピッキングすべき収納区域の残り数量（図示例では「３」）、符号表示部１１１ａにて収納区域の符号（図示例では「２」）及び数量表示部１１１ｂにて取り出すべき物品の数量（図示例では１０個）が表示されており、作業者等は、ピッキングすべき収納区域が３箇所であり、物品を取り出すべき収納区域が符号「２」の収納区域であり、取り出すべき物品の数量が１０個であることがわかる。これにより符号表示部１１１ａに表示されている符号に対応する収納区域の物品群から数量表示部１１１ｂに表示されている数量のビデオカセットテープ、ＣＤやＤＶＤを取り出し、スイッチ１１２を指で押して制御装置２０に作業が終了した旨の応答信号を伝達する。そうすると、図５（Ｂ）に示すように、残り数量表示部１１１ｃにてピッキングすべき収納区域の残り数量（図示例では「２」）、符号表示部１１１ａにて収納区域の符号（図示例では「３」）及び数量表示部１１１ｂにて取り出すべき物品の数量（図示例では８個）が表示される。そして、作業者等が前記の作業を繰り返し、残り数量表示部１１１ｃにて表示されるピッキングすべき収納区域の数量が［０］となると（図５（Ｃ）参照）、指示された作業を終了し、ランプ１１２が消灯する。かくして、ビデオカセットテープ、ＣＤやＤＶＤのピッキング作業がなされる。
【００３８】
このように表示装置１０を備えたピッキングシステム１００によると、長手方向に延びる所定の細長形状を呈する表示部１１が、長手方向が水平方向Ｘに対して直交又は略直交するように、且つ、水平方向領域ＰＸにおいて、水平方向一方側物品群Ａ１，Ｂ１の水平方向Ｘ外側に水平方向Ｘに沿って移動可能に配置されるので、ビデオカセットテープ、ＣＤやＤＶＤの数量が増減したり、物品群の種類が増減したりして、収納棚３０に設けられる収納領域Ｐの水平方向Ｘの大きさが増減し、さらには棚板３１における収納領域Ｐの数が増減しても、工具等を用いて収納棚３０を改変することなく、表示部１１を収納領域Ｐに柔軟に対応させることができ、これによりビデオカセットテープ、ＣＤやＤＶＤの数量や物品群の種類の増減に伴う作業者等の作業負担を軽減することができる。
【図面の簡単な説明】
【００３９】
【図１】本発明に係るピッキング用表示装置の一例が汎用の収納棚に取り付けられたピッキングシステムの一例の概略構成を示す図である。
【図２】図（Ａ）は表示装置の表示部が棚板に取り付けられた状態の概略平面図であり、図（Ｂ）は図（Ａ）の状態の概略側面図である。
【図３】図２に示す表示装置の他の例の概略平面図である。
【図４】収納棚における棚板の高さに応じて、表示部の表示面と棚板面とのなす角度が互いに異なるように表示部を取り付けることができる複数の取付部材のうちの一例が棚板に取り付けられた状態の概略側面図である。
【図５】図１に示すピッキングシステムのピッキング動作の一例を説明するための図である。
【図６】従来のピッキングシステムにおける収納棚の一例の概略構成を示す正面図である。
【図７】従来のピッキングシステムにおける収納棚の他の例の概略構成を示す正面図である。
【図８】図７に示す収納棚の概略構成を示す斜視図である。
【符号の説明】
【００４０】
１０…表示装置  １１…表示部  １１１…表示手段  １１１ａ…符号表示部
１１１ｂ…数量表示部  １１２…操作手段  １２…ケーブル  １３…取付部材
２０…制御装置  ３０…収納棚  ３１…棚板  １００…ピッキングシステム
Ａ１〜Ａ３，Ｂ１〜Ｂ４…物品群  ａ１〜ａ３…ビデオカセットテープ
ｂ１〜ｂ４…ＣＤやＤＶＤ  Ｘ…水平方向  Ｙ…鉛直方向  Ｐ…収納領域
ＰＸ…水平方向領域  θ…表示部の表示面と棚板面とのなす角度
【図１】
2005212962.tif 000003
【図２】
2005212962.tif 000004
【図３】
2005212962.tif 000005
【図４】
2005212962.tif 000006
【図５】
2005212962.tif 000007
【図６】
2005212962.tif 000008
【図７】
2005212962.tif 000009
【図８】
2005212962.tif 000010